(57)【要約】【課題】ネットワークの状態を反映した帯域管理が行える帯域管理装置および帯域管理方法を提供する。【解決手段】端末装置５は、アクセスネットワーク１内のアクセスラインを使用すべく要求をＳＳＣ４に送信する。ＳＳＣ４は、アクセスネットワーク１の状態を反映した情報を用いて、要求を許可できるか否かを判定し、許可できる場合は許可を、できない場合は不許可を端末装置５に送信する。【選択図】図１
2010199846.tif 000002
【特許請求の範囲】
【請求項１】
端末装置により終端されるアクセスラインを構成する１以上のパスを示す構成情報を含み且つ当該アクセスラインを使用する許可を得るべく当該端末装置から送信される要求を受信する信号送受信部と、
前記信号送受信部が前記要求に対して許可または不許可を前記端末装置に送信するように制御する制御部と、
予め前記アクセスラインを含む複数のアクセスラインを構成する全パスについてパスごとに該パスに割り当てられている帯域の量を示す帯域状態情報を有し、前記構成情報により示される全パスに該当する前記帯域状態情報を参照して、当該全パスについて、帯域の空きがあるかを判定する状態管理部とを有し、
予め前記複数のアクセスラインを構成する全パスについてパスごとに該パスの通信を担うべき装置の状態を示す装置状態情報を有し、前記構成情報により示される全パスに該当する前記装置状態情報を参照して、当該全パスについて、装置が通信を担えるかを判定する状態管理部、
予め前記複数のアクセスラインを構成する全パスについてパスごとに該パスに対する保守運用の状態を示す保守運用状態情報を有し、前記構成情報により示される全パスに該当する前記保守運用状態情報を参照して、当該全パスについて、保守運用可能かを判定する状態管理部、
予め前記複数のアクセスラインを構成する全パスについてパスごとに該パスに対する通信規制の状態を示す規制状態情報を有し、前記構成情報により示される全パスに該当する前記規制状態情報を参照して、当該全パスについて、通信規制されていないかを判定する状態管理部、
の１つ以上を有し、
前記制御部は、
前記２つ以上の状態管理部の全てから肯定的な判定結果を得た場合、前記信号送受信部が許可を前記端末装置に送信するように制御する一方、いずれかの状態管理部から否定的な判定結果を得た場合、前記信号送受信部が不許可を前記端末装置に送信するように制御する、
ことを特徴とする帯域管理装置。
【請求項２】
端末装置により終端されるアクセスラインを構成する１以上のパスを示す構成情報を含み且つ当該アクセスラインを使用する許可を得るべく当該端末装置から送信される要求を受信する信号送受信部と、
前記信号送受信部が前記要求に対して許可または不許可を前記端末装置に送信するように制御する制御部と、
予め前記アクセスラインを含む複数のアクセスラインを構成する全パスについてパスごとに該パスに割り当てられている帯域の量を示す帯域状態情報を有し、前記制御部から通知されるパスに該当する前記帯域状態情報を参照して、当該パスについて、帯域の空きがあるかを判定する状態管理部を有し、
予め前記複数のアクセスラインを構成する全パスについてパスごとに該パスの通信を担うべき装置の状態を示す装置状態情報を有し、前記制御部から通知されるパスに該当する前記装置状態情報を参照して、当該パスについて、装置が通信を担えるかを判定する状態管理部、
予め前記複数のアクセスラインを構成する全パスについてパスごとに該パスに対する保守運用の状態を示す保守運用状態情報を有し、前記制御部から通知されるパスに該当する前記保守運用状態情報を参照して、当該パスについて、保守運用可能かを判定する状態管理部、
予め前記複数のアクセスラインを構成する全パスについてパスごとに該パスに対する通信規制の状態を示す規制状態情報を有し、前記制御部から通知されるパスに該当する前記規制状態情報を参照して、当該パスについて、通信規制されていないかを判定する状態管理部、
の１つ以上を有し、
前記制御部は、
前記２つ以上の状態管理部のそれぞれに、前記構成情報により示される１つのパスを通知するとともに判定結果を得るステップを、前記構成情報により示される全パスについて行い、前記２つ以上の状態管理部の全てから前記全ステップで肯定的な判定結果を得た場合、前記信号送受信部が許可を前記端末装置に送信するように制御する一方、いずれかのステップで否定的な判定結果を得た場合、前記信号送受信部が不許可を前記端末装置に送信するように制御する、
ことを特徴とする帯域管理装置。
【請求項３】
端末装置により終端されるアクセスラインを使用する許可を得るべく当該端末装置から送信される要求に対して許可または不許可を送信する帯域管理装置が当該許可または不許可を送信するときに実行される帯域管理方法であって、
前記帯域管理装置に設けられた信号送受信部が、前記アクセスラインを構成する１以上のパスを示す構成情報を含む前記要求を受信する工程と、
前記帯域管理装置に設けられた制御部が、前記信号送受信部が前記要求に対して許可または不許可を前記端末装置に送信するように制御する工程と、
前記帯域管理装置に設けられ、予め前記アクセスラインを含む複数のアクセスラインを構成する全パスについてパスごとに該パスに割り当てられている帯域の量を示す帯域状態情報を有する状態管理部が、前記構成情報により示される全パスに該当する前記帯域状態情報を参照して、当該全パスについて、帯域の空きがあるかを判定する工程とを有し、
前記帯域管理装置に設けられ、予め前記複数のアクセスラインを構成する全パスについてパスごとに該パスの通信を担うべき装置の状態を示す装置状態情報を有する状態管理部が、前記構成情報により示される全パスに該当する前記装置状態情報を参照して、当該全パスについて、装置が通信を担えるかを判定する工程、
前記帯域管理装置に設けられ、予め前記複数のアクセスラインを構成する全パスについてパスごとに該パスに対する保守運用の状態を示す保守運用状態情報を有する状態管理部が、前記構成情報により示される全パスに該当する前記保守運用状態情報を参照して、当該全パスについて、保守運用可能かを判定する工程、
前記帯域管理装置に設けられ、予め前記複数のアクセスラインを構成する全パスについてパスごとに該パスに対する通信規制の状態を示す規制状態情報を有する状態管理部が、前記構成情報により示される全パスに該当する前記規制状態情報を参照して、当該全パスについて、通信規制されていないかを判定する工程、
の１つ以上を有し、
前記制御部は、
前記２つ以上の状態管理部の全てから肯定的な判定結果を得た場合、前記信号送受信部が許可を前記端末装置に送信するように制御する一方、いずれかの状態管理部から否定的な判定結果を得た場合、前記信号送受信部が不許可を前記端末装置に送信するように制御する、
ことを特徴とする帯域管理方法。
【請求項４】
端末装置により終端されるアクセスラインを使用する許可を得るべく当該端末装置から送信される要求に対して許可または不許可を送信する帯域管理装置が当該許可または不許可を送信するときに実行される帯域管理方法であって、
前記帯域管理装置に設けられた信号送受信部が、前記アクセスラインを構成する１以上のパスを示す構成情報を含む前記要求を受信する工程と、
前記帯域管理装置に設けられた制御部が、前記信号送受信部が前記要求に対して許可または不許可を前記端末装置に送信するように制御する工程と、
前記帯域管理装置に設けられ、予め前記アクセスラインを含む複数のアクセスラインを構成する全パスについてパスごとに該パスに割り当てられている帯域の量を示す帯域状態情報を有する状態管理部が、前記構成情報により示される全パスに該当する前記帯域状態情報を参照して、当該全パスについて、帯域の空きがあるかを判定する工程とを有し、
前記帯域管理装置に設けられ、予め前記複数のアクセスラインを構成する全パスについてパスごとに該パスの通信を担うべき装置の状態を示す装置状態情報を有する状態管理部が、前記構成情報により示される全パスに該当する前記装置状態情報を参照して、当該全パスについて、装置が通信を担えるかを判定する工程、
前記帯域管理装置に設けられ、予め前記複数のアクセスラインを構成する全パスについてパスごとに該パスに対する保守運用の状態を示す保守運用状態情報を有する状態管理部が、前記構成情報により示される全パスに該当する前記保守運用状態情報を参照して、当該全パスについて、保守運用可能かを判定する工程、
前記帯域管理装置に設けられ、予め前記複数のアクセスラインを構成する全パスについてパスごとに該パスに対する通信規制の状態を示す規制状態情報を有する状態管理部が、前記構成情報により示される全パスに該当する前記規制状態情報を参照して、当該全パスについて、通信規制されていないかを判定する工程、
の１つ以上を有し、
前記制御部は、
前記２つ以上の状態管理部のそれぞれに、前記構成情報により示される１つのパスを通知するとともに判定結果を得るステップを、前記構成情報により示される全パスについて行い、前記２つ以上の状態管理部の全てから前記全ステップで肯定的な判定結果を得た場合、前記信号送受信部が許可を前記端末装置に送信するように制御する一方、いずれかのステップで否定的な判定結果を得た場合、前記信号送受信部が不許可を前記端末装置に送信するように制御する、
ことを特徴とする帯域管理方法。
【請求項５】
請求項１または２記載の帯域管理装置としてコンピュータを機能させるためのコンピュータプログラム。
【請求項６】
請求項５記載のコンピュータプログラムを記録したコンピュータ読み取り可能な記録媒体。
【発明の詳細な説明】
【技術分野】
【０００１】
本発明は、帯域管理装置および帯域管理方法に関するものである。
【背景技術】
【０００２】
ＳＩＰ等のセッション制御を用いて音声、動画のリアルタイム配信、テレビ電話等のＩＰネットワークサービスを提供する場合には、サービスの品質、ＩＰトラヒックの特性、ネットワーク構成を考慮し、きめ細かなネットワークリソースの管理を行い、ネットワークリソースを確保し、サービスから要求される帯域を割り当てることが重要になる。
【０００３】
従来のネットワークリソースを管理し帯域を割り当てる技術としては、物理的なネットワークの構成を仮想パスとして抽象化し、抽象化した仮想パスの接続構成を設計データとして保持し、サービスからの要求に応じた帯域を仮想パス上で確保できるか否かを検証し、帯域受付判定を行うものがある（例えば、非特許文献１参照）。
【０００４】
また、他のネットワークリソースを管理し帯域を割り当てる技術としては、転送品質クラスごとに使用予測帯域を算出し、算出した予測帯域により帯域受付判定を行うものである（例えば、特許文献１参照）。
【０００５】
これにより、転送品質クラスごとに仮想パス上で確保できるか否かを検証し、帯域受付を行うことが可能になる。
【０００６】
しかしながら、仮想パスにより帯域を管理するネットワークリソース管理にあっては、リソース管理上帯域が確保できれば、例えばネットワークを構成する装置が故障していても帯域受付を行ってしまうものであり、こうした場合は、端末装置は、セッション設定要求を送信してもセッション応答が返らないため、何度もセッション設定要求が再送することになり、ネットワークにかかる負荷が増大することになる。
【先行技術文献】
【特許文献】
【０００７】
【特許文献１】特開２００７−３２５２２４号公報
【非特許文献】
【０００８】
【非特許文献１】堀米紀貴、宮坂昌宏、岸田好司著「ＮＧＮにおける帯域管理制御技術」ＮＴＴ技術ジャーナル  ２００８．１０.、ｐ．２２−２３
【発明の概要】
【発明が解決しようとする課題】
【０００９】
上記に述べた従来のネットワークリソースを管理し帯域を割り当てる技術にあっては、リソース管理上帯域が確保できれば、例えばネットワークを構成する装置が故障していても帯域受付を行ってしまうものであり、端末装置は、セッション設定要求を送信してもセッション応答が返らないため、何度もセッション設定要求が再送することになり、ネットワークにかかる負荷が増大するという問題がある。
【００１０】
本発明は、上記の課題に鑑みてなされたものであり、その目的とするところは、ネットワークの状態を反映した帯域管理が行える帯域管理装置および帯域管理方法を提供することにある。
【課題を解決するための手段】
【００１１】
本発明に係る第１の帯域管理装置は、端末装置により終端されるアクセスラインを構成する１以上のパスを示す構成情報を含み且つ当該アクセスラインを使用する許可を得るべく当該端末装置から送信される要求を受信する信号送受信部と、前記信号送受信部が前記要求に対して許可または不許可を前記端末装置に送信するように制御する制御部と、予め前記アクセスラインを含む複数のアクセスラインを構成する全パスについてパスごとに該パスに割り当てられている帯域の量を示す帯域状態情報を有し、前記構成情報により示される全パスに該当する前記帯域状態情報を参照して、当該全パスについて、帯域の空きがあるかを判定する状態管理部とを有し、予め前記複数のアクセスラインを構成する全パスについてパスごとに該パスの通信を担うべき装置の状態を示す装置状態情報を有し、前記構成情報により示される全パスに該当する前記装置状態情報を参照して、当該全パスについて、装置が通信を担えるかを判定する状態管理部、予め前記複数のアクセスラインを構成する全パスについてパスごとに該パスに対する保守運用の状態を示す保守運用状態情報を有し、前記構成情報により示される全パスに該当する前記保守運用状態情報を参照して、当該全パスについて、保守運用可能かを判定する状態管理部、予め前記複数のアクセスラインを構成する全パスについてパスごとに該パスに対する通信規制の状態を示す規制状態情報を有し、前記構成情報により示される全パスに該当する前記規制状態情報を参照して、当該全パスについて、通信規制されていないかを判定する状態管理部、の１つ以上を有し、前記制御部は、前記２つ以上の状態管理部の全てから肯定的な判定結果を得た場合、前記信号送受信部が許可を前記端末装置に送信するように制御する一方、いずれかの状態管理部から否定的な判定結果を得た場合、前記信号送受信部が不許可を前記端末装置に送信するように制御する、ことを特徴とする。
【００１２】
本発明に係る第２の帯域管理装置は、端末装置により終端されるアクセスラインを構成する１以上のパスを示す構成情報を含み且つ当該アクセスラインを使用する許可を得るべく当該端末装置から送信される要求を受信する信号送受信部と、前記信号送受信部が前記要求に対して許可または不許可を前記端末装置に送信するように制御する制御部と、予め前記アクセスラインを含む複数のアクセスラインを構成する全パスについてパスごとに該パスに割り当てられている帯域の量を示す帯域状態情報を有し、前記制御部から通知されるパスに該当する前記帯域状態情報を参照して、当該パスについて、帯域の空きがあるかを判定する状態管理部を有し、予め前記複数のアクセスラインを構成する全パスについてパスごとに該パスの通信を担うべき装置の状態を示す装置状態情報を有し、前記制御部から通知されるパスに該当する前記装置状態情報を参照して、当該パスについて、装置が通信を担えるかを判定する状態管理部、予め前記複数のアクセスラインを構成する全パスについてパスごとに該パスに対する保守運用の状態を示す保守運用状態情報を有し、前記制御部から通知されるパスに該当する前記保守運用状態情報を参照して、当該パスについて、保守運用可能かを判定する状態管理部、予め前記複数のアクセスラインを構成する全パスについてパスごとに該パスに対する通信規制の状態を示す規制状態情報を有し、前記制御部から通知されるパスに該当する前記規制状態情報を参照して、当該パスについて、通信規制されていないかを判定する状態管理部、の１つ以上を有し、前記制御部は、前記２つ以上の状態管理部のそれぞれに、前記構成情報により示される１つのパスを通知するとともに判定結果を得るステップを、前記構成情報により示される全パスについて行い、前記２つ以上の状態管理部の全てから前記全ステップで肯定的な判定結果を得た場合、前記信号送受信部が許可を前記端末装置に送信するように制御する一方、いずれかのステップで否定的な判定結果を得た場合、前記信号送受信部が不許可を前記端末装置に送信するように制御する、ことを特徴とする。
【００１３】
本発明に係る第１の帯域管理方法は、端末装置により終端されるアクセスラインを使用する許可を得るべく当該端末装置から送信される要求に対して許可または不許可を送信する帯域管理装置が当該許可または不許可を送信するときに実行される帯域管理方法であって、前記帯域管理装置に設けられた信号送受信部が、前記アクセスラインを構成する１以上のパスを示す構成情報を含む前記要求を受信する工程と、前記帯域管理装置に設けられた制御部が、前記信号送受信部が前記要求に対して許可または不許可を前記端末装置に送信するように制御する工程と、前記帯域管理装置に設けられ、予め前記アクセスラインを含む複数のアクセスラインを構成する全パスについてパスごとに該パスに割り当てられている帯域の量を示す帯域状態情報を有する状態管理部が、前記構成情報により示される全パスに該当する前記帯域状態情報を参照して、当該全パスについて、帯域の空きがあるかを判定する工程とを有し、前記帯域管理装置に設けられ、予め前記複数のアクセスラインを構成する全パスについてパスごとに該パスの通信を担うべき装置の状態を示す装置状態情報を有する状態管理部が、前記構成情報により示される全パスに該当する前記装置状態情報を参照して、当該全パスについて、装置が通信を担えるかを判定する工程、前記帯域管理装置に設けられ、予め前記複数のアクセスラインを構成する全パスについてパスごとに該パスに対する保守運用の状態を示す保守運用状態情報を有する状態管理部が、前記構成情報により示される全パスに該当する前記保守運用状態情報を参照して、当該全パスについて、保守運用可能かを判定する工程、前記帯域管理装置に設けられ、予め前記複数のアクセスラインを構成する全パスについてパスごとに該パスに対する通信規制の状態を示す規制状態情報を有する状態管理部が、前記構成情報により示される全パスに該当する前記規制状態情報を参照して、当該全パスについて、通信規制されていないかを判定する工程、の１つ以上を有し、前記制御部は、前記２つ以上の状態管理部の全てから肯定的な判定結果を得た場合、前記信号送受信部が許可を前記端末装置に送信するように制御する一方、いずれかの状態管理部から否定的な判定結果を得た場合、前記信号送受信部が不許可を前記端末装置に送信するように制御する、ことを特徴とする。
【００１４】
本発明に係る第２の帯域管理方法は、端末装置により終端されるアクセスラインを使用する許可を得るべく当該端末装置から送信される要求に対して許可または不許可を送信する帯域管理装置が当該許可または不許可を送信するときに実行される帯域管理方法であって、前記帯域管理装置に設けられた信号送受信部が、前記アクセスラインを構成する１以上のパスを示す構成情報を含む前記要求を受信する工程と、前記帯域管理装置に設けられた制御部が、前記信号送受信部が前記要求に対して許可または不許可を前記端末装置に送信するように制御する工程と、前記帯域管理装置に設けられ、予め前記アクセスラインを含む複数のアクセスラインを構成する全パスについてパスごとに該パスに割り当てられている帯域の量を示す帯域状態情報を有する状態管理部が、前記構成情報により示される全パスに該当する前記帯域状態情報を参照して、当該全パスについて、帯域の空きがあるかを判定する工程とを有し、前記帯域管理装置に設けられ、予め前記複数のアクセスラインを構成する全パスについてパスごとに該パスの通信を担うべき装置の状態を示す装置状態情報を有する状態管理部が、前記構成情報により示される全パスに該当する前記装置状態情報を参照して、当該全パスについて、装置が通信を担えるかを判定する工程、前記帯域管理装置に設けられ、予め前記複数のアクセスラインを構成する全パスについてパスごとに該パスに対する保守運用の状態を示す保守運用状態情報を有する状態管理部が、前記構成情報により示される全パスに該当する前記保守運用状態情報を参照して、当該全パスについて、保守運用可能かを判定する工程、前記帯域管理装置に設けられ、予め前記複数のアクセスラインを構成する全パスについてパスごとに該パスに対する通信規制の状態を示す規制状態情報を有する状態管理部が、前記構成情報により示される全パスに該当する前記規制状態情報を参照して、当該全パスについて、通信規制されていないかを判定する工程、の１つ以上を有し、前記制御部は、前記２つ以上の状態管理部のそれぞれに、前記構成情報により示される１つのパスを通知するとともに判定結果を得るステップを、前記構成情報により示される全パスについて行い、前記２つ以上の状態管理部の全てから前記全ステップで肯定的な判定結果を得た場合、前記信号送受信部が許可を前記端末装置に送信するように制御する一方、いずれかのステップで否定的な判定結果を得た場合、前記信号送受信部が不許可を前記端末装置に送信するように制御する、ことを特徴とする。
【発明の効果】
【００１５】
本発明によれば、ネットワークの状態を反映した帯域管理が行える帯域管理装置および帯域管理方法を提供することができる。
【図面の簡単な説明】
【００１６】
【図１】本実施の形態に係る帯域管理装置を含む通信システムの構成を示す接続図である。
【図２】アクセスネットワーク１の構成例を示す図である。
【図３】ＳＳＣ４の概略構成を示すブロック図である。
【図４】アクセスネットワーク１が図２に例示した構成を有する場合の帯域状態情報、装置状態情報、保守運用状態情報および規制状態情報を示した図である。
【図５】帯域状態情報、装置状態情報、保守運用状態情報および規制状態情報
【図６】通信システムの動作を説明するためのシーケンス図である。
【図７】ＳＳＣ４の一方の動作モードによる動作を示すフローチャートである。
【図８】ＳＳＣ４の他方の動作モードによる動作を示すフローチャートである。
【発明を実施するための形態】
【００１７】
以下、本発明の実施の形態を図面を参照して説明する。
【００１８】
図１は、本実施の形態に係る帯域管理装置を含む通信システムの構成を示す接続図である。通信システムは、アクセスネットワーク１と、ＯＮＵ（Ｏｐｔｉｃａｌ  Ｎｅｔｗｏｒｋ  Ｕｎｉｔ）２と、ＳＳＥ（Ｓｕｂｓｃｒｉｂｅｒ  Ｓｅｒｖｉｃｅ  Ｅｄｇｅ）３と、帯域管理装置であるＳＳＣ（Ｓｕｂｓｃｒｉｂｅｒ  Ｓｅｓｓｉｏｎ  Ｃｏｎｔｒｏｌ  ｓｅｒｖｅｒ）４と、端末装置５と、コアネットワーク６を有する。
【００１９】
ＯＮＵ２とＳＳＥ３はアクセスネットワーク１に接続され、ＳＳＥ３はさらにコアネットワーク６に接続され、ＳＳＣ４はＳＳＥ３に接続され、端末装置５はＯＮＵ２に接続される。
【００２０】
アクセスネットワーク１は、端末装置５をＳＳＥ３に接続するためのＩＰネットワークである。コアネットワーク６はＳＳＥ同士やＳＳＥ３の上位のルータを接続するためのＩＰネットワークである。ＯＮＵ２は、光回線アクセスネットワークの終端装置である。ＳＳＥ３は、端末装置５との間でパケットの送受信を行うルータである。ＳＳＣ４は、加入者を収容するセッション制御機能を含むサーバである。端末装置５は、ユーザが操作する端末装置である。なお、ＯＮＵ２および端末装置５は、更に多く有ってもよい。
【００２１】
通信システムでは、端末装置５あるいはコアネットワーク６を介して接続される他ネットワークがアクセスネットワーク１内のアクセスラインを使用すべく要求をＳＳＣ４に送信する。ＳＳＣ４は、アクセスネットワーク１の状態を反映した情報を用いて、要求を許可できるか否かを判定し、許可できる場合は所定の信号（許可という）を、できない場合は信号（不許可という）を端末装置５あるいはコアネットワーク６を介して他ネットワークに送信する。端末装置５あるいは他ネットワークは、許可が送信された場合、アクセスラインを使用して、通信を行う。一方、端末装置５あるいは他ネットワークは、不許可が送信された場合、アクセスラインを使用せず、通信は行わない。
【００２２】
図２は、アクセスネットワーク１の構成例を示す図である。
【００２３】
アクセスネットワーク１は、アクセスライン＃１、＃２および＃３を含む。
【００２４】
アクセスライン＃１は、ＯＮＵ２からＯＬＴ（Ｏｐｔｉｃａｌ  Ｌｉｎｅ  Ｔｅｒｍｉｎａｌ）１１およびＬ２ＳＷ（Ｌａｙｅｒ２  Ｓｗｉｔｃｈ）１２を介してＳＳＥ（ＳＢＣ：Ｓｅｓｓｉｏｎ  Ｂｏｒｄｅｒ  Ｃｏｎｔｒｏｌｌｅｒ機能）３に接続される。アクセスライン＃１は、ＯＮＵ２とＯＬＴ１１の間のパス１０１と、ＯＬＴ１１とＬ２ＳＷ１２の間のパス１０２と、Ｌ２ＳＷ１２とＳＳＥ３との間のパス１０３と、図示しないＳＳＥ３内部のパス（パス１０４という）とから構成される。パスはリンクまたは物理リンクともいう。また、パスを示す符号（パス１０１における「１０１」等）と同じ識別情報（パスＩＤという）がパスに付与されていることとする。
【００２５】
アクセスライン＃２は、ＯＮＵ２からＬ２ＳＷ１２を介してＳＳＥ（ＳＢＣ機能）３に接続される。アクセスライン＃２は、ＯＮＵ２とＬ２ＳＷ１２の間のパス２０１とパス１０３とパス１０４とから構成される。
【００２６】
アクセスライン＃３は、ＯＮＵ２から直接ＳＳＥ（ＳＢＣ機能）３に接続される。アクセスライン＃３は、ＯＮＵ２とＳＳＥ３との間のパス３０１とパス１０４とから構成される。
【００２７】
図３は、ＳＳＣ４の概略構成を示すブロック図である。
【００２８】
ＳＳＣ４は、ＣＳＣＦ（Ｃａｌｌ  Ｓｅｓｓｉｏｎ  Ｃｏｎｔｒｏｌ  Ｆｕｎｃｔｉｏｎ）４１と、ＮＡＳＳ（Ｎｅｔｗｏｒｋ  Ａｔｔａｃｈｍｅｎｔ  ＳｕｂＳｙｓｔｅｍ）４２と、ＲＡＣＳ（Ｒｅｓｏｕｒｃｅ  ａｎｄ  Ａｄｍｉｓｓｉｏｎ  Ｃｏｎｔｒｏｌ  Ｓｙｓｔｅｍ）４３とを有する。
【００２９】
ＣＳＣＦ４１は、ＳＩＰ（Ｓｅｓｓｉｏｎ  Ｉｎｉｔｉａｔｉｏｎ  Ｐｒｏｔｏｃｏｌ）セッションを制御する機能を有する。ＮＡＳＳ４２は、加入者情報を管理する機能を有する。
【００３０】
ＲＡＣＳ４３は、ネットワークの帯域を管理する機能を有し、信号送受信部４３１と制御部４３２と４つの状態管理部つまりリソース管理部４３３、装置状態管理部４３４、保守運用状態管理部４３５および規制状態管理部４３６を有する。
【００３１】
信号送受信部４３１は、ＣＳＣＦ４１等との間で信号の送受信を行う機能を有する。
【００３２】
制御部４３２は、ＲＡＣＳ４３の動作を制御する機能を有する。
【００３３】
リソース管理部４３３は、パス単位に帯域状態情報を管理し、パスに帯域を割り当てる機能やオペレーションシステムと連携し、オペレーションシステムから送信される帯域情報を反映し、管理し、必要ならば帯域情報をオペレーションシステムに送信する機能を有する。
【００３４】
装置状態管理部４３４は、ＳＳＥ３から送信される装置状態情報をパス単位に蓄積し、管理する機能やオペレーションシステムと連携し、オペレーションシステムから送信される装置状態を反映し、管理し、必要なれば装置状態情報をオペレーションシステムに送信する機能を有する。
【００３５】
保守運用状態管理部４３５は、保守運用者が各装置を制御するためのシステムであるオペレーションシステム（図示せず）と連携し、オペレーションシステムから送信される保守運用状態情報をパス単位に蓄積し、管理する機能を有する。
【００３６】
規制状態管理部４３６は、オペレーションシステムと連携し、オペレーションシステムから送信される規制状態情報をパス単位に蓄積し、管理し、必要ならば規制状態情報をオペレーションシステムに送信する機能を有する。
【００３７】
図４は、アクセスネットワーク１が図２に例示した構成を有する場合の帯域状態情報、装置状態情報、保守運用状態情報および規制状態情報を示した図である。図４は、リソース管理部４３３、装置状態管理部４３４、保守運用状態管理部４３５および規制状態管理部４３６に分かれている帯域状態情報、装置状態情報、保守運用状態情報および規制状態情報を便宜的にまとめて示す。
【００３８】
リソース管理部４３３は、全パスについてパスごとに該パスに割り当てられている帯域の量を示す帯域状態情報を有している。各帯域状態情報は、対応するパスのパスＩＤに対応づけられている。帯域の量は、例えば数値である。リソース管理部４３３は、図示しないが最大値を記憶し、帯域の量を最大値以下に制限するようになっている。
【００３９】
装置状態管理部４３４は、全パスについてパスごとに該パスの通信を担うべき装置の状態を示す装置状態情報を有している。各装置状態情報は、対応するパスのパスＩＤに対応づけられている。
【００４０】
保守運用状態管理部４３５は、全パスについてパスごとに該パスに対する保守運用の状態を示す保守運用状態情報を有している。各保守運用状態情報は、対応するパスのパスＩＤに対応づけられている。
【００４１】
規制状態管理部４３６は、全パスについてパスごとに該パスに対する通信規制の状態を示す規制状態情報を有している。各規制状態情報は、対応するパスのパスＩＤに対応づけられている。
【００４２】
図５（ａ）は、各装置状態情報がもち得る値と意味を示す図である。装置状態情報は、「ＩＮＳ（ＩＮ  Ｓｅｒｖｉｃｅの略である）」という語を示す値、「ＯＵＳ（ＯＵｔ  ｏｆ  Ｓｅｒｖｉｃｅの略である）」という語を示す値のいずれか１つをもち得る。以下、「装置識別情報は「ＩＮＳ」、「ＯＵＳ」のいずれか１つをもち得る。」というように、値の記載については簡略化する。値は、装置状態に応じて遷移する。「ＩＮＳ」は、装置が通信を担えることを示す。「ＯＵＳ」は、装置が通信を担えないことを示す。装置が初期設定中または故障中の場合、装置状態情報は「ＯＵＳ」になる。
【００４３】
図５（ｂ）は、各保守運用状態情報がもち得る値と意味を示す図である。保守運用状態情報は、「閉塞解除」、「保守閉塞（予閉塞）」、「保守閉塞」のいずれか１つをもち得る。「保守閉塞」は「保守閉塞（予閉塞）」に遷移しないが、これ以外では、保守運用の状態に応じて値が遷移する。「閉塞解除」は、保守運用上、通信ができる状態を示す。「保守閉塞（予閉塞）」は、保守運用上、通信ができない状態で、通話中呼を継続する状態を示す。「保守閉塞」は、保守運用上、通信ができない状態で、通話中呼がない状態を示す。
【００４４】
図５（ｃ）は、各規制状態情報がもち得る値と意味を示す図である。規制状態情報は、「規制解除」、「規制閉塞（予閉塞）」、「規制閉塞」のいずれか１つをもち得る。「規制閉塞」は「規制閉塞（予閉塞）」に遷移しないが、これ以外では、規制の状態に応じて値が遷移する。「規制解除」は、規則上、通信を行うことが許容されている状態を示す。「規制閉塞（予閉塞）」は、規則上、通信を行うことが許容されておらず（規制されており）、通話中呼を継続する状態を示す。「規制閉塞」は、規則上、通信が規制されており、通話中呼がない状態を示す。
【００４５】
次に、通信システムの動作について説明する。
【００４６】
図６は、端末装置５がアクセスラインを使用する許可を得るべく要求を送信してから、要求に対する許可または不許可が端末装置５に送信されるまでの動作を示すシーケンス図である。
【００４７】
まず、端末装置５がアクセスラインを使用する許可を得るべく信号（以下、「要求」という）をＳＳＥ３に送信する（Ｓ１）。要求は、対象のアクセスラインを構成する全パスのパスＩＤからなる構成情報を含む。ＳＳＥ３は、要求をＳＳＣ４に送信し、これをＳＳＣ４が受信する（Ｓ３）。
【００４８】
図７は、ＳＳＣ４の一方の動作モードによる動作を示すフローチャートである。ＳＳＣ４は、２つの動作モードを有し、図７はその一方によるものである。
【００４９】
信号送受信部４３１は、要求を受信し、制御部４３２に転送する。（Ｓ１０１）。制御部４３２は、装置状態管理部４３４を起動し、要求から構成情報を取り出し、装置状態管理部４３４に与える。
【００５０】
装置状態管理部４３４は、構成情報から１つのパスＩＤを取り出し、該当する装置状態情報を参照して、装置状態情報が「ＩＮＳ」を有しているかを判定する（Ｓ２０１）。装置状態情報が「ＯＵＳ」を有している場合、装置状態管理部４３４は制御部４３２に対し、いずれかの装置状態情報が「ＯＵＳ」を有していることを通知し、ステップＳ６０２に進む。一方、装置状態情報が「ＩＮＳ」を有している場合、装置状態管理部４３４は、構成情報から全パスＩＤを取り出したかを判定する（Ｓ２０２）。パスＩＤが残っている（ＮＯ）場合、ステップＳ２０１に戻る。
【００５１】
構成情報から全パスＩＤを取り出した（ＹＥＳ）場合、装置状態管理部４３４は制御部４３２に対し、該当の全装置状態情報が「ＩＮＳ」を有していることを通知する。制御部４３２は、保守運用状態管理部４３５を起動し、構成情報を与える。
【００５２】
保守運用状態管理部４３５は、構成情報から１つのパスＩＤを取り出し、該当する保守運用状態情報を参照して、保守運用状態情報が「閉塞解除」を有しているかを判定する（Ｓ３０１）。保守運用状態情報が「保守閉塞（予閉塞）」または「保守閉塞」を有している場合、保守運用状態管理部４３５は制御部４３２に対し、いずれか保守運用状態情報が「保守閉塞（予閉塞）」または「保守閉塞」を有していることを通知し、ステップＳ６０２に進む。一方、保守運用状態情報が「閉塞解除」を有している場合、保守運用状態管理部４３５は、構成情報から全パスＩＤを取り出したかを判定する（Ｓ３０２）。パスＩＤが残っている（ＮＯ）場合、ステップＳ３０１に戻る。
【００５３】
構成情報から全パスＩＤを取り出した（ＹＥＳ）場合、保守運用状態管理部４３５は制御部４３２に対し、該当の全保守運用状態情報が「閉塞解除」を有していることを通知する。制御部４３２は、規制状態管理部４３６を起動し、構成情報を与える。
【００５４】
規制状態管理部４３６は、構成情報から１つのパスＩＤを取り出し、該当する規制状態情報を参照して、規制状態情報が「規制解除」を有しているかを判定する（Ｓ４０１）。規制状態情報が「規制閉塞（予閉塞）」または「規制閉塞」を有している場合、規制状態管理部４３６は制御部４３２に対し、いずれかの規制状態情報が「規制閉塞（予閉塞）」または「規制閉塞」を有していることを通知し、ステップＳ６０２に進む。一方、規制状態情報が「規制解除」を有している場合、規制状態管理部４３６は、構成情報から全パスＩＤを取り出したかを判定する（Ｓ４０２）。パスＩＤが残っている（ＮＯ）場合、ステップＳ４０１に戻る。
【００５５】
構成情報から全パスＩＤを取り出した（ＹＥＳ）場合、規制状態管理部４３６は制御部４３２に対し、該当の全規制状態情報が「規制解除」を有していることを通知する。制御部４３２は、リソース管理部４３３を起動し、構成情報を与える。
【００５６】
リソース管理部４３３は、構成情報から１つのパスＩＤを取り出し、該当する帯域状態情報を参照して、帯域の値の所定値を加算しても最大値以下であるつまり空きがあるかを判定する（Ｓ５０１）。帯域に空きがない場合、リソース管理部４３３は制御部４３２に対し、帯域に空きがないことを通知し、ステップＳ６０２に進む。一方、帯域に空きがある場合、リソース管理部４３３は、構成情報から全パスＩＤを取り出したかを判定する（Ｓ５０２）。パスＩＤが残っている（ＮＯ）場合、ステップＳ５０１に戻る。  
構成情報から全パスＩＤを取り出した（ＹＥＳ）場合、リソース管理部４３３は制御部４３２に対し、帯域に空きがあることを通知する。制御部４３２は、信号送受信部４３１が端末装置宛の許可を送信するように制御する（Ｓ６０１）。
【００５７】
ステップＳ６０２では、制御部４３２は、信号送受信部４３１が端末装置宛の不許可を送信するように制御する。
【００５８】
図６において、ＳＳＣ４は、許可をＳＳＥ３に送信する（Ｓ２１）。ＳＳＥ３は、許可を端末装置５に送信する（Ｓ２３）。こうして許可を受信した場合、端末装置５は、アクセスラインを使用して、通信を行う。一方、ＳＳＣ４は、不許可をＳＳＥ３に送信する（Ｓ３１）。ＳＳＥ３は、不許可を端末装置５に送信する（Ｓ３３）。こうして不許可を受信した場合、端末装置５は、アクセスラインを使用せず、通信は行わない。
【００５９】
図８は、ＳＳＣ４の他方の動作モードによる動作を示すフローチャートである。
【００６０】
信号送受信部４３１は、要求を受信し、制御部４３２に転送する。（Ｓ１１１）。制御部４３２は、装置状態管理部４３４を起動し、要求から構成情報を取り出し、構成情報から１つのパスＩＤを取り出し、装置状態管理部４３４に与える。
【００６１】
装置状態管理部４３４は、パスＩＤに該当する装置状態情報を参照して、装置状態情報が「ＩＮＳ」を有しているかを判定する（Ｓ２１１）。装置状態情報が「ＯＵＳ」を有している場合、装置状態管理部４３４は制御部４３２に対し、装置状態情報が「ＯＵＳ」を有していることを通知し、ステップＳ７１２に進む。一方、装置状態情報が「ＩＮＳ」を有している場合、装置状態管理部４３４は制御部４３２に対し、該当の装置状態情報が「ＩＮＳ」を有していることを通知する。制御部４３２は、保守運用状態管理部４３５を起動し、同じパスＩＤを与える。
【００６２】
保守運用状態管理部４３５は、パスＩＤに該当する保守運用状態情報を参照して、保守運用状態情報が「閉塞解除」を有しているかを判定する（Ｓ３１１）。保守運用状態情報が「保守閉塞（予閉塞）」または「保守閉塞」を有している場合、保守運用状態管理部４３５は制御部４３２に対し、保守運用状態情報が「保守閉塞（予閉塞）」または「保守閉塞」を有していることを通知し、ステップＳ７１２に進む。一方、保守運用状態情報が「閉塞解除」を有している場合、保守運用状態管理部４３５は制御部４３２に対し、該当の保守運用状態情報が「閉塞解除」を有していることを通知する。制御部４３２は、規制状態管理部４３６を起動し、同じパスＩＤを与える。
【００６３】
規制状態管理部４３６は、パスＩＤに該当する規制状態情報を参照して、規制状態情報が「規制解除」を有しているかを判定する（Ｓ４１１）。規制状態情報が「規制閉塞（予閉塞）」または「規制閉塞」を有している場合、規制状態管理部４３６は制御部４３２に対し、規制状態情報が「規制閉塞（予閉塞）」または「規制閉塞」を有していることを通知し、ステップＳ７１２に進む。一方、規制状態情報が「規制解除」を有している場合、規制状態管理部４３６は制御部４３２に対し、該当の規制状態情報が「規制解除」を有していることを通知する。制御部４３２は、リソース管理部４３３を起動し、同じパスＩＤを与える。
【００６４】
リソース管理部４３３は、パスＩＤに該当する帯域状態情報を参照して、帯域の値の所定値を加算しても最大値以下であるつまり空きがあるかを判定する（Ｓ５１１）。帯域に空きがない場合、リソース管理部４３３は制御部４３２に対し、帯域に空きがないことを通知し、ステップＳ７１２に進む。一方、帯域に空きがある場合、制御部４３２は、構成情報から全パスＩＤを取り出したかを判定する（Ｓ６１１）。パスＩＤが残っている（ＮＯ）場合、ステップＳ２１１に戻る。  
構成情報から全パスＩＤを取り出した（ＹＥＳ）場合、制御部４３２は、信号送受信部４３１が端末装置宛の許可を送信するように制御する（Ｓ７１１）。
【００６５】
ステップＳ７１２では、制御部４３２は、信号送受信部４３１が端末装置宛の不許可を送信するように制御する。
【００６６】
なお、本実施の形態では、ＳＳＣ４がリソース管理部４３３、装置状態管理部４３４および保守運用状態管理部４３５を有していることとしたが、ＳＳＣ４は、これらの１以上を有するものであってもよい。また、ＳＳＣ４は、２つの動作モードのいずれか一方だけを有していてもよい。
【００６７】
例えば、図７を用いて説明した動作モードを有する場合、ＳＳＣ４（以下、「帯域管理装置」という）は、端末装置により終端されるアクセスラインを構成する１以上のパスを示す構成情報を含み且つ当該アクセスラインを使用する許可を得るべく当該端末装置から送信される要求を受信する信号送受信部４３１と、信号送受信部４３１が要求に対して許可または不許可を端末装置に送信するように制御する制御部４３２と、予め前記アクセスラインを含む複数のアクセスラインを構成する全パスについてパスごとに該パスに割り当てられている帯域の量を示す帯域状態情報を有し、構成情報により示される全パスに該当する帯域状態情報を参照して、当該全パスについて、帯域の空きがあるかを判定するリソース管理部４３３（以下、単に「状態管理部」）とを有し、予め前記複数のアクセスラインを構成する全パスについてパスごとに該パスの通信を担うべき装置の状態を示す装置状態情報を有し、構成情報により示される全パスに該当する装置状態情報を参照して、当該全パスについて、装置が通信を担えるかを判定する装置状態管理部４３４（以下、単に「状態管理部」）、予め前記複数のアクセスラインを構成する全パスについてパスごとに該パスに対する保守運用の状態を示す保守運用状態情報を有し、構成情報により示される全パスに該当する保守運用状態情報を参照して、当該全パスについて、保守運用可能かを判定する保守運用状態管理部４３５（以下、単に「状態管理部」）、予め前記複数のアクセスラインを構成する全パスについてパスごとに該パスに対する通信規制の状態を示す規制状態情報を有し、構成情報により示される全パスに該当する規制状態情報を参照して、当該全パスについて、通信規制されていないかを判定する規制状態管理部４３６（以下、単に「状態管理部」）、の１つ以上を有し、制御部４３２は、前記２つ以上の状態管理部の全てから肯定的な判定結果を得た場合、信号送受信部４３１が許可を端末装置に送信するように制御する一方、いずれかの状態管理部から否定的な判定結果を得た場合、信号送受信部４３１が不許可を端末装置に送信するように制御する。
【００６８】
したがって、いずれかの状態管理部から否定的な判定結果が得られた場合、不許可が端末装置に送信されるので、例えば、許可が送信されたにも拘わらず、装置が故障していて、実際には通信が行えないといった不都合を回避することができる。
【００６９】
一方、例えば、図８を用いて説明した動作モードを有する場合、帯域管理装置は、端末装置により終端されるアクセスラインを構成する１以上のパスを示す構成情報を含み且つ当該アクセスラインを使用する許可を得るべく当該端末装置から送信される要求を受信する信号送受信部４３１と、信号送受信部４３１が要求に対して許可または不許可を端末装置に送信するように制御する制御部４３２と、予め前記アクセスラインを含む複数のアクセスラインを構成する全パスについてパスごとに該パスに割り当てられている帯域の量を示す帯域状態情報を有し、構成情報により示される全パスに該当する帯域状態情報を参照して、当該全パスについて、帯域の空きがあるかを判定する状態管理部（４３３）とを有し、予め前記複数のアクセスラインを構成する全パスについてパスごとに該パスの通信を担うべき装置の状態を示す装置状態情報を有し、制御部４３２から通知されるパスに該当する装置状態情報を参照して、当該パスについて、装置が通信を担えるかを判定する装置状態管理部（４３４）、予め前記複数のアクセスラインを構成する全パスについてパスごとに該パスに対する保守運用の状態を示す保守運用状態情報を有し、制御部４３２から通知されるパスに該当する保守運用状態情報を参照して、当該パスについて、保守運用可能かを判定する状態管理部（４３５）、予め前記複数のアクセスラインを構成する全パスについてパスごとに該パスに対する通信規制の状態を示す規制状態情報を有し、制御部４３２から通知されるパスに該当する規制状態情報を参照して、当該パスについて、通信規制されていないかを判定する状態管理部（４３６）、の１つ以上を有し、制御部４３２は、前記２つ以上の状態管理部のそれぞれに、構成情報により示される１つのパスを通知するとともに判定結果を得るステップを、構成情報により示される全パスについて行い、前記２つ以上の状態管理部の全てから全ステップで肯定的な判定結果を得た場合、信号送受信部４３１が許可を端末装置に送信するように制御する一方、いずれかのステップで否定的な判定結果を得た場合、信号送受信部４３１が不許可を端末装置に送信するように制御する。
【００７０】
したがって、いずれかのステップで否定的な判定結果が得られた場合、不許可が端末装置に送信されるので、例えば、許可が送信されたにも拘わらず、装置が故障していて、実際には通信が行えないといった不都合を回避することができる。
【００７１】
なお、ＳＳＣ４としてコンピュータを機能させるためのコンピュータプログラムは、半導体メモリ、磁気ディスク、光ディスク、光磁気ディスク、磁気テープなどのコンピュータ読み取り可能な記録媒体に格納し、陳列などして流通させたり、当該コンピュータプログラムをインターネットなどの通信網を介して伝送させてもよい。
【符号の説明】
【００７２】
１…アクセスネットワーク
２…ＯＮＵ
３…ＳＳＥ
４…ＳＳＣ
５…端末装置
１１…ＯＬＴ
４１…ＣＳＣＦ
４２…ＮＡＳＳ
４３…ＲＡＣＳ
１０１、１０２、１０３、１０４、２０１、３０１…パス
４３１…信号送受信部
４３２…制御部
４３３…リソース管理部
４３４…装置状態管理部
４３５…保守運用状態管理部
４３６…規制状態管理部
【図１】
2010199846.tif 000003
【図２】
2010199846.tif 000004
【図３】
2010199846.tif 000005
【図４】
2010199846.tif 000006
【図５】
2010199846.tif 000007
【図６】
2010199846.tif 000008
【図７】
2010199846.tif 000009
【図８】
2010199846.tif 000010